(57)【要約】【課題】音楽プレーヤー付きの線捲きボックス裝置の提供。【解決手段】線捲きボックスと音楽プレーヤー及びイヤホンが備えられる。線捲きボックスは、ケーシングと、ケーシングに設置された捲き戻し器が備えられ、音楽プレーヤーは、ケーシングに設置され、イヤホンは、音楽プレーヤーに電気的に接続されるケーブルと、ケーブルに電気的に接続される音声出力ユニットがあり、捲き戻し器は、イヤホンのケーブルを捲き戻すことができ、これにより、音楽を聴取でき、また、携行便利性や応用性がよくなり、そして、イヤホンの収納便利性が向上される。【選択図】図１
0003140018.tif 000002
【実用新案登録請求の範囲】
【請求項１】
ケーシングと、該ケーシングに設置され、自動的に捲き戻すことができる捲き戻し器とを有する線捲きボックスと、
該線捲きボックスのケーシングに接続される音楽プレーヤーと、
該音楽プレーヤーに電気的に接続されるケーブルと、該ケーブルに電気的に接続される音声出力ユニットとが備えられ、該ケーブルが、該捲き戻し器の外まで延ばし、また、該捲き戻し器に捲き付けられるイヤホンと、
が含有されることを特徴とする音楽プレーヤー付きの線捲きボックス裝置。
【請求項２】
該ケーシングに、ジャックポストと定位槽がある捲き戻し器であって、更に、
該ジャックポストに嵌設され、該ケーブルが、通されて、捲きつけられ、リング状のグルーブと該グルーブに近接して連通する斜めの案内槽及び該斜めの案内槽の隣に位置する欠け口が設けられ、また、該欠け口が、該斜めの案内槽と該グルーブに連通するターンテーブルと、
該ジャックポストと該ターンテーブルに係止され、該ターンテーブルに自動的に捲き戻し力を付与するゼンマイばねと、
該グルーブと該斜めの案内槽或いは該欠け口において、転動可能に設置され、該定位槽に対応するボールと、
が含有されることを特徴とする請求項１に記載の音楽プレーヤー付きの線捲きボックス裝置。
【請求項３】
該ターンテーブルの側縁から内部へ凹むように、格納部が設けられ、該ターンテーブルに、該格納部に連通する貫通穴が設けられ、該ケーブルが、該貫通穴を通して該格納部に捲き付けられることを特徴とする請求項２に記載の音楽プレーヤー付きの線捲きボックス裝置。
【請求項４】
該ゼンマイばねは、二つの定位端があり、該ジャックポストに、その一つの定位端が挿設される嵌合槽が形成され、該ターンテーブルの側縁に、もう一つの定位端が挿設される定位槽が設けられることを特徴とする請求項２に記載の音楽プレーヤー付きの線捲きボックス裝置。
【請求項５】
該音楽プレーヤーは、ＭＰ３プレーヤーであることを特徴とする請求項１に記載の音楽プレーヤー付きの線捲きボックス裝置。
【考案の詳細な説明】
【技術分野】
【０００１】
本考案は、線捲きボックスに関し、特に、音楽プレーヤー付きの線捲きボックス裝置に関する。
【背景技術】
【０００２】
科技の快速の発展に従って、様々の携帯式電子製品が登場し、例えば、携帯電話（Ｃｅｌｌ  Ｐｈｏｎｅ）や多機能電話（Ｓｍａｒｔ  Ｐｈｏｎｅ）、パーソナル携帯情報機器（Ｐｅｒｓｏｎａｌ  Ｄｉｇｉｔａｌ  Ａｓｓｉｓｔａｎｔ、ＰＤＡ）及びＭＰ３（ＭＰＥＧ  Ａｕｄｉｏ  Ｌａｙｅｒ−３）プレーヤー等である。しかしながら、携帯式電子製品に記憶されたオーディオファイルを聞き取る時、通常として、ユーザーが、イヤホンを利用してオーディオファイルを聞き、これにより、他の人に迷惑をかけない。既存のイヤホンは、おおざっぱに、単線式イヤホンと双線式イヤホン及び最近非常に普及されたブルートゥース（Ｂｌｕｅｔｏｏｔｈ）イヤホン等の種類がある。
【０００３】
一般のＭＰ３プレーヤーとイヤホンを組んで使用する場合、ブルートゥースイヤホンの売価が、単線式や双線式イヤホンより高くなり、また、ブルートゥースチップが内蔵されるＭＰ３プレーヤーも、売価が高くなり、そのため、通常として、ユーザーは、有線式イヤホンとブルートゥースチップのないＭＰ３プレーヤーとの組み合せを選択する。有線式イヤホンとＭＰ３プレーヤーが、分離式であるため、組み合せて利用することが必要であり、そのため、ユーザーが使用する時、次の問題があり、例えば、有線式イヤホンの携帶行を忘れられたことと、有線式イヤホンが紛失されることとがある。
【０００４】
有線式イヤホンを使用する時、ケーブルを適当に整理しなければ、長いケーブルが、絡み合いやすいため、不便である。
【０００５】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００６】
本考案の目的は、捲き戻し可能のイヤホンのケーブルがあり、気楽に音楽を聴取でき、また、携帶便利性や応用性がよく、収納便利性等が向上される音楽プレーヤー付きの線捲きボックス裝置を提供する。
【課題を解決するための手段】
【０００７】
本考案は、上記の目的を達成するため、ケーシングと、該ケーシングに設置され、自動捲き戻すことができる捲き戻し器とを有する線捲きボックスと、該線捲きボックスのケーシングに接続される音楽プレーヤーと、該音楽プレーヤーに電気的に接続されるケーブルと、該ケーブルに電気的に接続される音声出力ユニットとが備えられ、該ケーブルが、該捲き戻し器の外まで延ばし、また、該捲き戻し器に捲き付けられるイヤホンと、が含有される音楽プレーヤー付きの線捲きボックス裝置である。
【０００８】
本考案によれば、線捲きボックスに組み立てられた音楽プレーヤーの設計と、捲き戻し器とイヤホンとが一体化される設計とにより、捲き戻し器で、イヤホンのケーブルを捲き戻すことができ、携行便利性や応用性がよくなるだけでなく、イヤホンの収納便利性が向上される。
【０００９】
以下、図面を参照しながら、本考案に係わる特徴や技術内容について、詳しく説明するが、それらが、参考や説明のためのもので、本考案は、それによって制限されることがない。
【考案を実施するための最良の形態】
【００１０】
図１と図２を参照して下さい。本考案は、線捲きボックス１と音楽プレーヤー３及びイヤホン４が備えられる音楽プレーヤー付きの線捲きボックス裝置である。
【００１１】
該線捲きボックス１は、ケーシング１０と、自動的に捲き戻することができる捲き戻し器２０とが備えられる。該ケーシング１０は、複数のケーシングを互いに係止することにより組み立てられてもよく、また、該ケーシング１０は、内部に、収納空間１１とジャックポスト１２及び定位槽１３が設けられ、該ジャックポスト１２は、該ケーシング１０の内部から上へ延ばすように該収納空間１１に設けられ、また、該ジャックポスト１２は、軸方向に、嵌合槽１２１が形成される。該定位槽１３は、該ケーシング１０の内部に設けられ、該収納空間１１に対応する。
【００１２】
該捲き戻し器２０は、ターンテーブル２１とゼンマイばね２２及びボール２３が備えられる。該ターンテーブル２１は、中央に、定位孔２１１が形成され、上端面に、囲むように、グルーブ２１２と該グルーブ２１２に近接して連通する斜めの案内槽２１３及び斜めの案内槽２１３の隣に位置する円弧状の欠け口２１４が設けられ、欠け口２１４は、斜めの案内槽２１３とグルーブ２１２に連通する。ターンテーブル２１は、側縁から内へ凹むように、格納部２１５が設けられ、また、ターンテーブル２１に、該格納部２１５に連通する貫通穴（図示省略）が形成され、また、底部の側縁に、定位槽２１６が形成される。該ゼンマイばね２２は、渦形体で、二つの定位端２２１、２２２がある。
【００１３】
該音楽プレーヤー３は、ＭＰ３プレーヤーであり、該ケーシング１０に設置され、該ＭＰ３プレーヤーの素子は、例えば、該ケーシング１０に収納された配線板３１やプロセスチップ３２等や、フラッシュメモリ（図示省略）とＵＳＢポート（図示省略）等の電子や記憶及び伝送素子、そして、該ケーシング１０の表面から露出したボタン３３や表示パネル３４等の操作や表示素子等は、成熟した技術で、また、公知の技術であるため、説明を省略し、また、制限することがない。
【００１４】
該イヤホン４は、ケーブル４１と、該ケーブル４１の末端に位置し、該ケーブル４１に電気的に接続される音声出力ユニット４２とが備えられる。また、本考案の図面において、該イヤホン４は、双線式イヤホンを例とし、即ち、二つのケーブル４１と二つの音声出力ユニット４２があり、該イヤホン４は、単線式イヤホンであってもよく、即ち、一つのケーブル４１と一つの音声出力ユニット４２がある。
【００１５】
イヤホン４のケーブル４１は、ターンテーブル２１の貫通穴に通して、ターンテーブル２１の格納部２１５に捲き付き、また、ケーブル４１の先端により、音楽プレーヤー３に電気的に接続され、これにより、音楽プレーヤー３内のオーディオファイルが音声出力ユニット４２へ送信されて、ユーザーが聴取することができる。
【００１６】
ゼンマイばね２２は、ジャックポスト１２に嵌設され、まず、その一つの定位端２２１を嵌合槽１２１に挿設して固定し、ボール２３は、予めに、転動可能に、ターンテーブル２１のグルーブ２１２に設置され、また、ジャックポスト１２が、ターンテーブル２１の定位孔２１１を通し、これにより、ターンテーブル２１が、更に、ジャックポスト１２とゼンマイばね２２に嵌設され、同時に、ゼンマイばね２２のもう一つの定位端２２２をターンテーブル２１の定位槽２１６に挿設して固定し、これにより、ゼンマイばね２２は、同時に、ジャックポスト１２とターンテーブル２１とを係止でき、ターンテーブル２１に対して、自動的に捲き戻し力を付与し、また、ターンテーブル２１により、ボール２３が、定位槽１３に対応する箇所に位置でき、即ち、本考案の捲き戻し器２０は、ケーシング１０の収納空間１１に位置するようになる。ターンテーブル２１が回転する時、ボール２３が、グルーブ２１２と斜めの案内槽２１３及び欠け口２１４において転動でき、また、同時に、定位槽１３に対応できる。
【００１７】
以上のように、音楽プレーヤー付きの線捲きボックス裝置が構成され、使用する時、捲き戻し器２０で、長いケーブル４１を捲き戻して収納し、そのため、ケーブル４１を捲き戻す効果が得られ、また、音楽プレーヤー３が接続されるため、ユーザーが、音楽を聴取でき、そのため、本考案は、より実用的である。
【００１８】
以上から、イヤホン４は、捲き戻し器２０の係止構造により、ケーブル４１が所定の距離に引き出されると、段階性を有する逆止作用が掛けられ、そのまま、利用でき、また、更に、所定の距離を引き出すと、自動的に、係止作用が解除されて自動的に捲き戻され、ユーザーは、捲き戻し弾力によって影響されず、より便利に必要とする所定の長さを引き出すことができる。
【００１９】
図３乃至図７を参照しながら、それに、図１も参照するように、更に、本考案の使用について、説明する。ユーザーがケーブル４１を引き出すことにより、ターンテーブル２１が逆時計回りに転動する時、グルーブ２１２に位置するボール２３が、欠け口２１４へ向かって時計回りに転動して、また、適当な必要とする位置に停止し（図４のように）、また、持続的に引き出す時、一旦、ケーブル４１を引き出してから手を離し、この時、ボール２３は、ゼンマイばね２２が弾性変形したことにより、時計回りに転動し（図５のように）、また、ボール２３が、斜めの案内槽２１３まで転動すると、係止され、これにより、ケーブル４１を定位する効果が得られる（図６のように）。
【００２０】
また、引き出されたケーブル４１を捲き戻す時、一旦、ケーブル４１を引き出して、ボール２３が、斜めの案内槽２１３からグルーブ２１２へ転動し（図７のように）、この時、ケーブル４１を離すと、ターンテーブル２１とゼンマイばね２２との作用により、ターンテーブル２１で、ケーブル４１を捲き戻してケーシング１０内に收納できる。
【００２１】
また、図１のように、本考案において、更に、該線捲きボックス１のケーシング１０に設置され、直接に音楽プレーヤー３の配線板３１電気的に接続されるブルートゥース無線送受信器５があり、ブルートゥース無線送受信器５により、携帯電話（図示省略）からの来電オーディオを受信でき、また、来電オーディオをイヤホン４に伝送して、ユーザーが聴取や発言することができる。
【００２２】
以上のように、本考案は、線捲きボックス１に組み立てられた音楽プレーヤー３の設計と、捲き戻し器２０とイヤホン４が一体化される設計とにより、捲き戻し器２０で、イヤホン４のケーブル４１を捲き戻すことができ、携行便利性や応用性がよくなるたけでなく、イヤホン４の収納便利性が向上される。また、イヤホン４が、所定の距離に引き出されると、段階性を有する逆止作用が掛けられ、そのまま、利用でき、また、更に、所定の距離を引き出すと、自動的に係止作用が解除されて自動的に捲き戻され、ユーザーは、捲き戻し弾力によって影響されず、より便利に必要とする所定の長さを引き出すことができる。
【００２３】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２４】
【図１】本考案の立体分解の概略図である。
【図２】本考案の立体組立ての概略図である。
【図３】本考案のボールがターンテーブルに組み立てられる時の平面概略図である。
【図４】本考案のターンテーブルが転動する時の第一平面概略図である。
【図５】本考案のターンテーブルが転動する時の第二平面概略図である。
【図６】本考案のターンテーブルが転動する時の第三平面概略図である。
【図７】本考案のターンテーブルが転動する時の第四平面概略図である。
【符号の説明】
【００２５】
１  線捲きボックス
１０  ケーシング
１１  収納空間
１２  ジャックポスト
１２１  嵌合槽
１３  定位槽
２０  捲き戻し器
２１  ターンテーブル
２１１  定位孔
２１２  グルーブ
２１３  斜めの案内槽
２１４  欠け口
２１５  格納部
２１６  定位槽
２２  ゼンマイばね
２２１、２２２  定位端
２３  ボール
３  音楽プレーヤー
３１  配線板
３２  プロセスチップ
３３  ボタン
３４  表示パネル
４  イヤホン
４１  ケーブル
４２  音声出力ユニット
５  ブルートゥース無線送受信器
【図１】
0003140018.tif 000003
【図２】
0003140018.tif 000004
【図３】
0003140018.tif 000005
【図４】
0003140018.tif 000006
【図５】
0003140018.tif 000007
【図６】
0003140018.tif 000008
【図７】
0003140018.tif 000009